(57)【要約】【課題】砂浜、海底、沼地等軟弱地盤で使用するアンカーとして、軽量で十分なアンカー力を持ち、且つ繰り返し再使用が可能なアンカー杭に関する。【解決手段】先端を尖らせたプレート１０と、該プレートの中央付近、および後端付近にそれぞれ取り付けたリング付紐１１、１２と、該プレートの後端部に着脱可能に取り付けたロッド１７と、により構成され、該ロッド１７の先端にプレート１０を固定して土中に打ち込み、ロッドを抜いた後第一リング１３に被固定対象物を係止するが、プレート１０の中央付近に力の作用点があるため、モーメントが発生せず、プレート全面で地耐力を受け、安定した大きなアンカー力を得ることができ、又プレート引き抜き時は第二リング１４を引っ張ると、同方向にプレートが姿勢を変え、抵抗なく引き抜きを可能とする、砂浜等軟弱地盤に適用可能、かつ繰り返し再使用できるアンカー杭を提供する。【選択図】  図４
2008063857.tif 000002
【特許請求の範囲】
【請求項１】
先端を尖らせたプレートと、該プレートの中央付近に一端を固定し、他端に第一リングを設けた紐と、該プレートの後端に一端を固定し、他端に第二リングを設けた紐と、該プレートの後端部に設けた接続手段により着脱可能に接続し、後端部に打撃ヘッドを持つ打ち込みロッドとを有し、前記接続手段は、該打ち込みロッド先端に該プレートをはめ込む溝と、該プレートの後端部に設けた紐を通す溝を有し、該プレート後端部には、該打ち込みロッド先端を固定するガイドを有してなることを特徴とするアンカー杭。
【請求項２】
該プレートの先端付近及び後端付近２箇所に紐の両端を固定し、該プレートを底辺とし、該紐を２辺とする二等辺三角形の頂点部分に第一リングを設け、更に該リングと該紐のプレート後端固定部分との中間点の任意の位置に第二リングを設けたことを特徴とする請求項１のアンカー杭。
【請求項３】
該プレートの先端及び後端付近と、プレート中央の幅方向両端付近との４箇所に紐の一端を固定し、該４本の紐の他端を一括で結び、該プレートを底面とする四角錘を形成し、その頂点に更に別の紐の一端を固定し、該紐の他端に第一リングを設けたことを特徴とする請求項１のアンカー杭。
【請求項４】
該プレートと該打ち込みロッドが一体構造をなしていることを特徴とする請求項１，２、３のアンカー杭。
【請求項５】
該プレートの横方向中央で、且つ縦方向に三角形の一辺を接続した三角プレートを該プレートに対し垂直に設け、その三角形の頂点に貫通穴を有していることを特徴とする請求項４のアンカー杭。
【請求項６】
レジャーテント等に一般的に用いられているペグアンカーにおいて、該ペグアンカーの長手方向の中央付近と後端部にそれぞれ一端を着脱可能に接続し、且つ他端にそれぞれ第一リングと第二リングを取り付けた紐を有していることを特徴とする請求項１のアンカー杭。
【発明の詳細な説明】
【技術分野】
【０００１】
本発明は砂浜や海底あるいは沼地等軟弱地盤で使用するアンカー杭に関するものである。
【背景技術】
【０００２】
従来におけるこの種のアンカー杭は、スクリュー構造、根だし突起アンカー等があるが、スクリュー構造のものは回転させながら地中に侵入させる必要があり、又スクリュー径分アンカー力は上がるものの、砂地、沼地等軟弱地盤では十分なアンカー力が発揮できない欠点がある（例えば、特許文献1参照）。又、スクリュー構造で、且つスクリューを逆回ししたときに、軸に密着していた係止片（羽根）が開き地中に係止する発明があるが、支持棒の外側に通しボルトとナットで係止片を接続する構造となっており、地中侵入時の土砂との干渉と強度に疑問がある(例えば、特許文献2参照)。根出し突起アンカーについても、支持棒の鋼管内に収まる範囲のプレート寸法となり、アンカー力アップに限界があり、且つ根出し機構を管内に設ける必要があり、構造が複雑になる欠点がある(例えば、特許文献3参照)。
【０００３】
いずれのケースにおいても、大規模な土木建築等構造物用アンカー以外の用途で砂浜、海中、沼地など軟弱地盤に使用するアンカー杭として適当なものが無く、漁業用の網、筏、小型漁船、ブイ等に使用する軽量で、且つ十分なアンカー力を有するアンカー杭は見当たらない。又、砂浜でテントを張るときなどに使用する軽量で十分なアンカー力を有し、且つ繰り返し使用可能なアンカー杭が求められている。
【０００４】
このような従来技術の課題を解決するために先出願のプレート杭（特願２００５−３２５６２５号を参照）は、アンカー杭用の筒型のアウターロッドと、該アウターロッド内にスライド可能に嵌め込んだインナーロッドとの二重構造を成し、アウターロッドの先端付近に支点軸で固定し、支点軸を挟んでプレートとロックアームを持つアンカープレートを取り付け、同アンカー杭を地中に打ちこむ時、該アンカープレートが打ち込みと反対方向に閉じ、打ち込み後引き抜き方向に動かすことによりアンカープレートがインナーロッドの先端のストッパーでロックされるまで開き、地中に係止され、引抜く時は該インナーロッドをアンロック位置に設定することにより、ロックアームがストッパーからはずれアンカープレートが引き抜き方向と反対方向に閉じ抵抗なく抜けるようにしたものである。本発明は軟弱地盤に用いるアンカー杭として有効なものであるが、構造が複雑で、レジャーテント等に使うための携帯性に優れた軽量で小さなアンカー杭に適用するには難しさがあった。
【特許文献１】特開２００５−１０５７５６
【特許文献２】特開２０００−２２０１４１
【特許文献３】特開２００４−５２３８３
【発明の開示】
【発明が解決しようとする課題】
【０００５】
本発明の第一の目的は、上述の従来技術の問題に鑑み、砂浜、海底、沼地等軟弱地盤で使用するアンカーとして軽量で、十分なアンカー力が確保できるアンカー杭を提供すること。第二の目的は、前記第一の目的を達成しつつ、より強いアンカー力を得る目的で、地中深く打ち込むことができ、且つ海底、池の底等に使用するときに、水面上からも打ち込むことができるアンカー杭を提供すること。第三の目的は、前記第一又は、第二の目的を達成しつつ、アンカー力がかかった時、地中でアンカープレートが安定な姿勢の保持、修正機能を持つアンカー杭を提供すること。第四の目的は、前記第一、又は第二、又は第三の目的を達成しつつ、構造がシンプルで扱いやすいアンカー杭を提供すること。第五の目的は、前記第一、又は第二、又は第三、又は第四の目的を達成しつつ抜き差しが可能で、一つのアンカーで位置変更、繰り返し再使用に対応できるアンカー杭を提供すること。又、第六の目的は、ごく一般的にレジャー用テント等に用いられているペグアンカーを利用して、従来の使い方を確保しつつ、砂浜等軟弱地盤でも十分なアンカー力を確保できるアンカー杭を提供すること。又、第七の目的は、前記第一又は、第二又は、第三又は、第五又は、第六の目的を達成しつつ、地表に杭の頭等障害物が存在しない状態で使用できるアンカー杭を提供することにある。
【課題を解決するための手段】
【０００６】
前記第一の目的を達成するために請求項1にかかるアンカー杭は、先端を尖らせたプレートと、該プレートの中央付近に一端を取り付け、他端にリングを取り付けたアンカー用紐と、該プレートの後端に一端を取り付け、他端にリングを取り付けたプレート引きぬき用紐と、該プレートの後端に設けた接続手段により着脱可能に取り付けた後端部にハンマーで打撃可能な平面を持つプレート打ち込みロッドとにより構成されている。該接続手段は、該ロッド先端に該プレートをはめ込む溝と、該プレートの後端部に取り付けた紐を通す溝を有し、該プレート後端部には、該ロッド先端を固定するガイドを有し、接続した時に、プレートとロッドが打ち込み方向対しに直線的に固定される構造としている。これにより、該プレートを地中に打ち込む場合、同打ち込みロッドの後端ヘッド部を打撃した力がそのままプレート打ち込み方向の力になるように構成されている。該プレートを任意の位置まで打ち込み後、同プレートを地中に残した状態でロッドを引き抜き、アンカー用紐に取り付けたリングに、係止しようとする被固定対象物の紐を張力を張りながら括り付ける。このとき、該アンカープレート中央付近に固定したアンカー用紐は、同固定点を始点にプレートから離れ張力方向に移動し、テント等の固定紐と直線をなし、同固定紐を介して該プレートとテント間で張力を張る構造としている。該プレートの打ち込み角度は、絶対条件ではないが、最大のアンカー力を得るためには係止しようとするテント等の固定紐張力の方向に対して長手方向、幅方向とも概ね90度になるよう設定することが望ましい。（手段１）
【０００７】
前記第二の目的を達成するために請求項１にかかるアンカー杭は、該プレートの後端に着脱可能に取り付けたプレート打ち込み用ロッドの長さを用途に合わせた長さとすることにより実現している。該プレートを砂浜等で使用する場合、砂が水分を含み比較的強い地耐力を持つ深さまで到達できる長さを有するロッドを用いる。又、海底、池の底などに該アンカープレートを打ち込む場合は、水深に対応する長さを持つロッドを用い、船上あるいは筏の上から海底あるいは池の底にアンカーを打ち込むことを可能にしている。（手段２）
【０００８】
前記第三の目的を達成するために請求項２にかかるアンカー杭は、先端を尖らせたプレートと、該プレートの先端付近及び後端付近２箇所に紐の両端を固定し、該プレートを底辺とし、該紐を２辺とする二等辺三角形の頂点部分にアンカー固定用のリングを取り付け、更に該リングと該紐のプレート後端固定部分との中間点の任意の位置に取り付けた引き抜き用リングにより構成されている。該プレートを地中に打ち込む方法は、前記方法と同様に打ち込みロッドを用いて行ない、テント等の固定紐を、張力を張りながらアンカー固定用リングに括り付けるが、張力を張る過程で該リングを中心とした二本の紐に均等の力がかかるまで、即ち、プレートと紐が二等辺三角形をなすまで角度修正する機能を持たせた。（手段３）
【０００９】
前記第三の目的を達成するために請求項3にかかるアンカー杭は、該プレートの中央付近に取り付けたアンカー紐の代わりに、プレートの先後端付近、及びプレートの中央付近の幅方向両端付近４箇所に紐を固定し、４本の紐の他端を一括で結び、該プレートを底面とする四角錘を形成し、その頂点から、リング付きアンカー固定用紐を接続し、該プレート後端には引き抜き用リング付き紐を接続した構造としている。該プレートを地中に打ち込む方法は、前記手段１の方法と同様に打ち込みロッドを用いて行ない、アンカー紐係止もテント等の固定紐をアンカー固定用リングに固定し張力を張るが、張力を張る過程でアンカープレートに固定した４本の紐が、其々均等に張力を分担するよう地中を移動し、プレートを底面とする四角錘になる方向でプレートも移動し、結果としてプレートにモーメントが作用しない状態まで移動し、プレートとテント等の固定紐間で張力を張り係止される構造としている。即ち、アンカープレートが地中で、アンカーの張力の方向に対し直角になるように自己姿勢修正機能を持つものである。（手段４）
【００１０】
前記第三の目的を達成するために請求項５にかかるアンカー杭は、該プレートに取り付けたアンカー用紐の代わりに、該プレートの長手方向に一辺を接触し、該プレート平面に対し垂直に三角形のプレートを接続し、該三角形のプレートの頂点に、アンカー紐固定用穴を有する構造としている。又、該プレートの後端には、該プレートを地中に打ち込むためのハンマーで打撃可能な平面を有する構造にしている。該三角形のプレートを取り付けたアンカー杭を地中に打ち込み、テント等の固定紐を該アンカー紐固定用穴に括り付けて固定するが、打ち込み時、プレートが張力の垂線方向に対してズレが生じたとしても、同アンカープレートが、長手方向、横方向とも面で受けているため、常に打ち込み時の姿勢を保持し安定する構造にしている。（手段５）
【００１１】
前記第四の目的を達成するために請求項４にかかるアンカー杭は、用途即ち打ち込み深さをある程度限定し、扱いやすさに主眼を置いた構造としたもので、該プレートと打ち込みロッドを一体構造とし、且つ、該ロッドは用途に合わせた長さとしている。該アンカーを地中に打ち込む際、プレートの後端に固定されたロッドの打撃ヘッド部をハンマーリングし、地中に打ち込み、該プレートの中央付近に一端を固定し、他端に第一リングを取り付けたアンカー用紐の第一リング部分に、テント等被固定物の固定紐を結びつけるアンカーとしての使用方法は手段１、３、４と同じである。該プレートと該打ち込みロッドが一体構造をなしていることにより、同接続の手間が省け、部品数も少なく扱いやすさを確保している。（手段６）
【００１２】
前記第五の目的を達成するために請求項１、２、３、６にかかるアンカー杭は、アンカーとしての力の作用点、即ちプレートの中央付近にアンカー用の紐を固定しているのとは別に、該プレートの上端に力の作用点を持つ引き抜き用の紐を固定し、アンカーを引き抜く際に、該紐を上方に引っ張ることにより、地中で垂直方向に対してある角度を持って打ち込まれている該プレートが該紐の引っ張り方向に姿勢を変えながら抵抗なく抜けるようにしたものである。更に、前記アンカー用紐と引き抜き用紐に取り付けられたリング間に連結紐を設け扱い易さを向上させる構造としている。（手段７）
【００１３】
前記第六の目的を達成するために請求項６にかかるアンカー杭は、レジャーテント等に一般的に用いられているペグアンカーにおいて、該ペグアンカーの長手方向の中央付近と後端部に着脱可能に接続した紐を設け、該紐の他端にそれぞれ第一リング、第二リングを設けている。該ペグアンカーを地耐力が十分有る通常の地盤で使用する場合は、該紐を取り外して従来通りの使用方法でペグアンカーとして使い、砂浜など軟弱地盤で使用するときは、該紐を取り付け、該ペグアンカー打ち込み後、第一リングにテント等被固定物を接続しアンカー力の作用点をペグアンカー長手方向中央付近に変えてモーメントを発生させないアンカー杭として使用できるようにしたものである。また、該ペグアンカーについても、前記手段1と同様に、着脱式の打ち込みロッドを使い地中深く打ち込むことも可能にしている。（手段８）
【００１４】
前記第七の目的を達成するために請求項１、２，３，６にかかるアンカー杭は、該プレートと、該打ち込みロッドを着脱可能に接続した構造にしていることにより、該プレート打ち込み時は該打ち込みロッドを接続し、打ち込み後は該プレートのみ地中に残して該ロッドを抜き去り、地表に出ているアンカー紐に設けた第一リングに被固定対象物の固定紐を接続し、又、該プレート引き抜き時は、地表に出ている該引き抜き紐に設けた第二リングを上方に引き上げることにより該プレートを引き抜けるようにしたものである。（手段９）
【発明の効果】
【００１５】
前記第一の手段によれば、地中に打ち込まれた該プレートと、該プレート中央付近に固定された紐の他端に取り付けた第一リングに被固定対象物の紐を結び付け張力を張ることにより、該プレートがモーメントを受けることなく地盤の地耐力を該プレート全面でほぼ均等に受けることができ、従来使われているアンカー杭が、地中打ち込み後地上に飛び出したヘッド部に被固定物対象物のアンカー用紐を係止し、アンカー杭ヘッド部が張力によりモーメントを受けて、モーメントゼロの点を中心に回転変位し、その変位に相当する地盤の地耐力によりアンカー力を得ているのに対し数倍のアンカー力を得ることができる。また、一般的に地耐力は土の性状が一定ならば土の密度と比例関係にあると考えられ、地表がゼロで地中深くなるにつれて地耐力が上昇する特性を持つことは周知の通りであるが、  通常のアンカー杭が、前述の通り、地上に飛び出したヘッド部に被固定対象物の紐を結び付け張力を張るため、最も地耐力の弱い地表部分を利用しているのに対し、前記第一の手段によれば、地耐力の比較的大きい深い位置に打ち込める構造のため、既存のアンカー杭と比較して、格段に大きなアンカー力を簡単に得ることができる。また、軟弱地盤専用のアンカー杭として製作する場合、打ち込み時の抵抗が少ないためプレートを大きくすることができ、更にアンカー力をアップさせることも可能である。
【００１６】
前記手段１におけるアンカー力について、地中に打ち込まれた該プレートの簡易モデルに基づき説明する。地中に打ち込まれた該プレートの中央付近の紐の固定点と地上の被固定対象物との間を紐で結び張力をかけると、プレートは土地の地耐力による抗力（反作用）を受けるが、このとき該プレート中央付近の固定点がモーメントゼロのポイントに力の作用点があるとき、モーメントは発生せず次の（１）式が成立する。
【００１７】
【数１】
2008063857.tif 000003
【００１８】
図１は、幅１ｃｍ、長さＬｃｍのプレートが地中でモーメントゼロのポイントを力の作用点とし、アンカー力Ｐ1に引っ張られてΔｘｃｍの変位を生じているモデルを考える。変位Δｘｃｍに対する地耐力をＧｋｇ／ｃｍ２とし、プレートにかかる地耐力は地中全て均一で、地耐力ＧはΔｘｃｍに比例すると仮定すると地耐力による抗力Pｍは（２）式で表わされる。
【数２】
2008063857.tif 000004
【００１９】
図２は、該プレートの端部ｂ点にアンカー力がかかったアンカー杭のモデルを、図３は、それをベクトルで表わしたものである。条件を前述の通りとしｂ点にアンカー力Ｐ２が掛かり変位Δｘｃｍを生じたと仮定すると、プレートは、モーメント０のポイントａ点を中心軸として回転モーメント合成力Ｐｍｂ，Ｐｍｃがｃ点、ｄ点に発生する。ｃ点、ｄ点の中心ａ点からの距離Mは三角形の加重平均によりL×√２／４になる。このためモーメントのつり合いから（３）式が成立する。
【数３】
2008063857.tif 000005
したがって、Ｐ1、Ｐ２のアンカー力の大きさの比は
【数４】
2008063857.tif 000006
即ち、（４）式より端部にアンカー紐をかけるケースに比べ、モーメント０ポイントを力の作用点とした場合、理論的には約2.8倍のアンカー力アップが可能である。しかし現実には、地耐力が地中深さや地質等種々条件により変化するため力の作用点をモーメント0のポイントに設定することは難しく、上記値よりは小さくなるが、従来のアンカー杭が地上に飛び出した杭のフック部にアンカー紐を引っ掛ける構造に対し、プレートと打ち込みロッドを組み合わせた本発明のアンカー杭は、より地耐力の高い深い地中にアンカーを打ち込めること、及び、プレートの面積を従来のペグ構造アンカーに比べ何倍も大きくできること、さらに、砂地は砂の特性上透水性が高く、表層部は乾燥し地耐力が低く、あるレベル以上深くなると逆に地下水分を吸い上げて湿潤状態となっており地耐力が上がる。このため土地の表層部を利用する従来のペグ構造のアンカーは、砂地では全くアンカーとしての機能を果たさなかったが、本発明のアンカーの場合、同砂地で大きなアンカー力を確保することが可能である。
【００２０】
表1に、既存のペグアンカーを従来の使い方（地上のフックに紐をかける）と、アンカー中央付近に力の作用点をもっていった場合のアンカー力の比較テスト結果を示している。
表1に示す実験の結果、力の作用点を杭の中央付近に変えることにより約2倍のアンカー力アップが図られており、該計算式とほぼ一致する。また、打ち込み深さを深くする、プレート面積を大きくすることで更に大幅なアンカー力アップが可能であることも容易に想定される。
【００２１】
【表１】
2008063857.tif 000007
【００２２】
前記手段２によれば、該プレートと該打ち込みロッドを分離していることにより、用途に合わせた長さの打ち込みロッドを用いることができ、水深に対応する長さのロッドにより海底、沼底に船上あるいは筏上からアンカーを打ち込むことができ、また、より強いアンカー力を得る為に地中深くプレートを打ち込みたいときなど、同深さに対応する長さの打ち込みロッドを準備することにより、その条件に合わせて最適な選択が可能という効果がある。
【００２３】
前記手段３によれば、該プレート先端と後端付近に紐の両端を接続し、その中間点にリングを取り付け、該プレートを地中に打ち込み後該リングにテント等固定用ロープを接続し、張力を張ることにより地中でアンカー杭の長手方向を底辺としリングを頂点とする二等辺三角形を形成するまで該プレートが地中で動き、モーメントを受けない安定したポジションになり最大のアンカー力を発揮する効果がある。地盤に十分な地耐力があり、三角形の頂点の該リングに張力荷重がかかっても該プレートが動かない状態も想定されるが、所要アンカー力が発揮されつつバランスしている状態なのでアンカーとしての機能は十分果たしている。
【００２４】
前記手段４によれば、前記手段３と同様に長手方向のみならず幅方向にも張力による均等荷重がかかるように地中で該プレートが動き、該プレートを底面とする四角錐をなし該プレート長手方向、幅方向共モーメントのかからない最も安定した最大のアンカー力を発揮する角度にポジションが移動する効果がある。
【００２５】
前記手段５によれば、該プレートと該打ち込みロッドが一体構造をなしているアンカー杭において、該プレートに取り付けたアンカー用紐の代わりに三角形のプレートを取り付け、該三角プレートの頂点に、アンカー紐固定用穴を有する構造にしたことにより、該アンカーを地中に打ち込んだとき常に該プレートに対して紐固定穴の位置が直角になるように打ち込むことができ、結果として、常に地中で該アンカー杭が安定したポジションを保てる効果がある。
【００２６】
前記手段６によれば、手段１，３，４における該プレートと打ち込みロッドを一体構造とすることにより、ロッドの長さが固定されるが、あらかじめ用途を限定し、その用途に適合する長さを有するロッド長とすることにより、最適なアンカー力と従来一般的に使用されているペグアンカーと同じような扱いやすさを同時に得る効果がある。
【００２７】
前記手段７によれば、手段１，３，４、における該プレートと該打ち込みロッドが分離しているアンカー杭に於いて、地中に残した該プレートを引き抜く際、該アンカー紐で引き抜くことはプレートの抵抗を受けて引き抜けない。プレート後端部に一端を固定し、他端に第二リングを取り付けた引き抜き紐を設けることにより、地中にある該プレートを引き抜くとき、該引き抜き紐を引き上げることにより、該プレートの姿勢が引き上げ方向に変り、該プレート後端の断面積に相当する、小さな抵抗で楽に引き抜くことが可能となる。
また、該アンカー紐と該引き抜き紐に取り付けられたリング間に連結紐を設けることにより該プレートに両端を固定した一本の紐が取り付けられている形となり取り扱いが容易になる効果がある。
【００２８】
前記手段８によれば、一般的にレジャーテント等に使うペグアンカーの長手方向の中央付近と後端部にリング付き紐を着脱可能に取り付けることにより、地耐力を十分有する地盤で使用するときは、従来どおりアンカー杭のヘッド部フックにアンカー用紐を固定する従来通りの使用方法ができると同時に、砂浜など軟弱地盤で使用するときは、該紐を取り付け、アンカー力の作用点を変えてアンカー力を強くして使用することができる。即ち、１つのアンカー杭で地盤の状況に合わせて最適なアンカー力を得るように使い分けることができる効果がある。
又、前記手段１と同様に、該ペグアンカーに合わせた着脱可能な打ち込みロッドを使用することにより、該ペグアンカーを地中深く打ち込婿とができ、必要なアンカー力を容易に得る効果がある。
【００２９】
前記手段９によれば、該プレートを地中に埋め込んだ状態で使用することができ、結果として地表に障害部の存在しない状態で使用できる効果がある。
【発明を実施するための最良の形態】
【００３０】
発明の実施例について図面を参照しながら説明する。
【実施例１】
【００３１】
図４はこの発明のアンカー杭の打ち込み前の状態図を、図５はこの発明のアンカー杭を地中に打ち込み、打ち込みロッドを引き抜いた後、被固定対象物の紐をリングに固定し張力を張ったときの状態図を示している。また、図６はアンカー杭を引き抜くときの状態図を、図７、図８はそれぞれ図４のＡ−Ａ断面図、Ｂ−Ｂ断面図を示している。図４において、先端を尖らせたプレート１０の幅方向のセンターで、且つ縦方向のセンター付近に第一貫通穴１５を設けアンカー紐１１の一端を固定している。アンカー紐の他端には第一リング１３が取り付けられている。プレートの後端部には第二貫通穴１６を設け、アンカー杭引き抜き紐１２を接続しており、紐１２の端にはプレート引き抜き用第二リング１４を取り付けている。又、プレート１０の尾端には打ち込みロッド１７を着脱可能にセットしている。この打ち込みロッド１７の先端にはプレート１０をはめ込むプレート固定溝２０と、引き抜き紐１２を通す溝１９を設けており、プレート１０にはロッド１７を固定するためのガイド２１を２箇所に設けている。ロッド１７の尾端にはハンマーで打撃できるよう打撃ヘッド１８を設けている。ここで、プレート１０の面積、打ち込みロッド１７の長さは、このアンカーを使用する地盤の地耐力と所要アンカー力を考慮し、その目的に合わせて決めている。
【００３２】
図５において、破線が地面境界線でＧが地中、Ｓが空中を示している。プレート１０を地中打ち込み後、打ち込みロッドを引き抜いた状態で、地中に打ち込まれたプレート１０から出たアンカー紐１１の第一リング１３にテント等の固定紐２５を結びつけ張力を張ると、張力の方向に紐が直線状に移動しプレート１０とテント等の固定紐２５の間で張力を保持する。アンカー紐１１と、引き抜き紐１２はプレート１０を地中に打ち込んだとき、同紐に取り付けた第一リング１３，第二リング１４が地表に残るだけの十分な長さを持たせている。
【００３３】
図６はプレート１０を引き抜く時の状態図を示している。図６においてプレート１０の尾端部に取り付けられた引き抜き紐１２の第二リング１４を垂直に引き上げた時、地中に任意の角度で打ち込まれていたプレート１０の姿勢が引き抜き方向に修正され、プレート１０の断面に対する土の抵抗のみの小さな力で引き抜くことができる。
【００３４】
図７は図４のＡ−Ａ断面図を示している。プレート１０の中央付近と尾端の第一貫通穴１５と第二貫通穴１６には、それぞれアンカー紐１１とプレーと引き抜き紐１２が接続されている。また、プレート１０の尾端にはプレートにはめ込む溝２０と引き抜き紐１２を通す溝１９を持つアンカー打ち込みロッド１７が、プレート１０側には同ロッドを固定するガイド２１が設けてあり、プレー１０と嵌め込み溝２０とガイド２１により打ち込みロッド１７がプレート１０に着脱可能に且つ、プレート固定溝２０とガイド２１によりプレート１０と打ち込みロッド１７が打ち込み方向に一直線になるように固定されている。また、打ち込みロッド１７はパイプ構造にして軽量化しており、且つ尾端には打撃ヘッド１８を有している。図８は図４のB−B断面図を示している。プレート１０には打ち込みロッド１７固定用のガイド２１が、又、幅方向中央部には引き抜き紐１２が紐固定用端末２６により固定されている。また、引き抜きロッド１７が、該ガイド２１とプレート固定溝２０により固定接続されている。
【実施例２】
【００３５】
図９は実施例１におけるアンカー紐１１と、アンカー引き抜き紐１２にそれぞれ取り付けた第一リング１３と第二リング１４の間を連結紐２７で固定し、取り扱いの容易性を向上させた実施例を示している。図９において、第一リング１３に固定紐２５を接続し張力をかけたとき、アンカー紐１１は張力を張るが、引き抜き紐１２，連結紐２７は緩んでいる。また、プレート１０を引き抜くため第二リング１４を引き上げ引き抜き、引き抜き紐１２に張力をかけたときアンカー紐１１及び連結紐２７が緩んでいる状態となるよう連結紐２７の長さを決めている。
【実施例３】
【００３６】
図１０はプレート１０の先端と後端付近に紐の両端を接続し、その中間点の第一リング１３にテント等固定用ロープを接続し、張力を張ったとき、地中でアンカー杭の長手方向を底辺とし第一リング１３を頂点とする二等辺三角形を形成するまでプレート１０が地中で動き回転モーメントを受けない安定したポジションになる実施例を示している。アンカー１０と打ち込みロッド１７の接続方法他は、実施例１と同じである。引き抜き時は、引き抜き紐１１に取り付けた第二リング１４を垂直あるいは、プレー１０の打ち込み方向と反対方向に引き抜くことにより、抵抗無く引き抜けるよう紐とリングの位置を決めている（実施例２と同じ）。
【実施例４】
【００３７】
図１１は地中で長手方向のみならず、幅方向もプレート１０の姿勢修正機能を持つ実施例である。プレート１０には、上下左右４箇所にアンカー用紐を接続する穴１５が4箇所設けられており、各々に紐の一端が接続され、他端を一括で結び、アンカー紐１１に接続している。第一リング１３に、テント等固定用ロープを接続し張力を張ると、張力を張る過程でプレート１０に固定した４本の紐が、其々均等に張力を分担するよう地中を移動し、プレート１０を底面とする四角錘になるまでプレートが移動し、結果としてプレート１０に縦方向、横方向ともモーメントが作用しない安定した状態で、プレート１０とテント等の固定紐間で張力を張り係止される構造としている。プレートの打ち込み、引き抜き方法は、実施例３と同じである。
【実施例５】
【００３８】
図１２はプレート１０と打ち込みロッド１７が一体構造となった実施例である。基本構造は実施例１と同一であるが、プレート１０と打ち込み用固定ロッド２８が固定されており打ち込み深さはロッドの長さにより決まるため、用途を限定し、その用途に応じた最適な長さとすることが条件となる。例えば、海水浴場の砂浜では、地表より１０ｃｍくらい下部は砂が湿潤していることから、ロッドの長さは１０ｃｍ＋αに設定する。打ち込み、アンカー係止方法は、実施例１と同じである。引き抜き時は、ロッドエンド部を持って引き抜く。
【実施例６】
【００３９】
図１３は実施例１のアンカー紐１１の代わりに三角形のプレートを取り付けた実施例である。プレート１０には三角プレート２９がプレート１０の平面に対し垂直に接続されている。同三角プレート２９には固定紐係止穴３０が、プレート尾端部には打撃ヘッド１８が取り付けてある。打撃ヘッド１８と、固定紐係止穴３０が地中に沈まない位置までプレート１０を打ち込み、固定紐係止穴３０に、固定紐２５を係止するが、このときアンカー力はプレート１０で受け、横方向の力はプレート２９が受けることにより、打ち込んだときの姿勢を保持する機能を有する。
【実施例７】
【００４０】
図１４はテント用などに一般的に用いられているペグタイプのアンカー杭に着脱式アンカーロープを取り付けた実施例である。L型ペグアンカー本体３８の長手方向中央付近およびに尾端にロープ固定用第一貫通穴１５、及び第二貫通穴１６が設置されており、それぞれ他端に第一リング１３、第二リング１４を設けたアンカー紐１１，引き抜き紐１２を着脱可能に設けている。又第一リング１３と第二リング１４の間は連結紐２７を接続し、ペグアンカー本体３８後端部には、被固定対象物の固定紐２５を係止するためのペグアンカー紐係止溝３９と同係止穴４０を設けている。十分な地耐力を持つ場所でこのアンカーを使用するときは、紐１１，１２を外して、従来どおりの使い方で、ペグアンカー本体３８を打ち込み、ヘッダー部を地上に残して、ヘッダー部の係止用溝３９、または係止用穴４０にテント等固定紐を括り付けて使用し、砂浜等軟弱地盤で使用するときは紐１１，１２を取り付けて、モーメントレスアンカー杭として、アンカー力をアップして使用する。また、図面上には示していないが、引き抜き紐１２を設けており、実施例１と同様に打ち込みロッドを用いることにより、地中深く打ち込み、アンカー力を更にアップさせる使い方も可能である。
【実施例８】
【００４１】
図１５は実施例６のペグアンカー３８にフィン４１を着脱可能に取り付けた実施例である。詳細は省略しているが、ペグアンカーにフック又はボルトでフィン４１を固定する構造にしている。これにより、軟弱地盤でアンカーを使用するとき、ペグアンカーだけでは力が不足する場合、フィン４１を取り付けて使用することにより、フィン４１の面積分アンカー力をアップする使い方ができる。
【００４２】
図１６は、一般的に用いられている樹脂製のペグアンカー３２の長手方向中央部第一貫通穴１５にアンカー紐１１を取り付けたものであり、使い方は実施例６と同じである。ペグアンカー３２の尾端には打ち込みヘッド35と固定フック３７が設けられている。
【産業上の利用可能性】
【００４３】
本発明は、砂浜、軟弱な土地でも大きなアンカー力が得られ、又、打ち込み深さも自由に選べることにより必要とするアンカー力を簡単に得られる特徴があり、また、通常の土地でも、従来の杭式アンカーに比べ、小さなサイズで大きなアンカー力を得ることができる特徴を生かし、従来のアンカーでは対応できなかった海岸でのテント・パラソル・サンシェード等の設営用、魚網の固定用、小型船舶係止用等に適用できるほか、従来の杭式アンカーで対応していた簡易ハウス・農業用ハウス固定用、庭木の支持用等々あらゆる用途によりコンパクトで地上に杭が飛び出さないアンカーとして利用できる。
【図面の簡単な説明】
【００４４】
【図１】モーメントレスアンカー原理図
【図２】ペグアンカー原理図
【図３】ペグアンカーベクトル図
【図４】アンカー杭打ち込み前状態図
【図５】アンカー杭使用中状態図
【図６】アンカー杭引き抜き中状態図
【図７】図１のＡ−Ａ断面図
【図８】図１のＢ−Ｂ断面図
【図９】アンカー紐、引き抜き紐連結型アンカー杭図
【図１０】アンカープレート姿勢修正機能付きアンカー杭図（縦方向）
【図１１】アンカープレート姿勢修正機能付きアンカー杭図（縦・横方向）
【図１２】プレートと打ち込みロッド一体型アンカー杭図
【図１３】アンカープレート姿勢保持機能付きアンカー杭図
【図１４】モーメントレスペグアンカー図
【図１５】着脱プレート付きモーメントレスペグアンカー図
【図１６】モーメントレスペグアンカー図
【符号の説明】
【００４５】
１０  プレート
１１  アンカー紐
１２  引き抜き紐
１３  第一リング
１４  第二リング
１５  第一貫通穴
１６  第二貫通穴
１７  打ち込みロッド
１８  打撃ヘッド
１９  紐通し溝
２０  プレート固定溝
２１  ガイド
２５  固定紐
２６  紐固定用端末
２７  連結紐
２８  固定ロッド
２９  三角プレート
３０  固定紐係止穴
３２  ペグアンカー
３５  打撃ヘッド
３７  フック
３８  ペグアンカー本体
３９  ペグアンカー紐係止溝
４０  ペグアンカー紐係止穴
４１  フィン
Ｓ    空中
Ｇ    地中
【図１】
2008063857.tif 000008
【図２】
2008063857.tif 000009
【図３】
2008063857.tif 000010
【図４】
2008063857.tif 000011
【図５】
2008063857.tif 000012
【図６】
2008063857.tif 000013
【図７】
2008063857.tif 000014
【図８】
2008063857.tif 000015
【図９】
2008063857.tif 000016
【図１０】
2008063857.tif 000017
【図１１】
2008063857.tif 000018
【図１２】
2008063857.tif 000019
【図１３】
2008063857.tif 000020
【図１４】
2008063857.tif 000021
【図１５】
2008063857.tif 000022
【図１６】
2008063857.tif 000023